(57)【要約】【課題】従来のティッシュペーパー用カバーは既存の取り出し口の位置をそのまま利用した物である為に、縦に吊り下げると常時取り出し口より出ているティッシュペーパーが地面に対して直角になるために、上又は下に垂直に引き抜く事が困難である。常時取り出し口より出ているティッシュペーパーを保護していないので汚れやすいし見た目も嫌らしい。また従来は蓋部分が取り出し口になっているのでティッシュペーパー用カバーのみの単機能である。また縦に吊り下げると中に入っているティッシュペーパーが縦にへたってくる。【解決手段】蓋（１）を上下共にティッシュペーパーより８cm程度長くしてティッシュペーパーを保護し、短側面の深さを多少（１cm程度）浅くして蓋との隙間を取り出し口（７）にする。蓋（１）の表に貼り付けポッケト（１２）を付ける。出し入れ自由なバネ式底上げ板を備える。【選択図】            図１
2004201938.tif 000002
【特許請求の範囲】
【請求項１】
ティッシュペーパー又は特願２０００−３７４０６を縦に収納して、蓋（１）を上下共に８cm程度それより長くし、上下の短側面（６）の深さを多少（１cm程度）短くする。よって蓋（１）と短側面（６）との間に多少（１cm程度）の隙間（７）ができる。この隙間（７）をティッシュペーパーの取り出し口として上下に設けた縦型の吊り下げ式ティッシュペーパー用カバー。
【請求項２】
蓋（１）の表に貼り付けポケット（１２）を付けた請求項１記載の縦型の吊り下げ式ティッシュペーパー用カバー。
【請求項３】
底（３）に出し入れ自由なバネ式底上げ板を設けた請求項１、２記載の縦型の吊り下げ式ティッシュペーパー用カバー。
【発明の詳細な説明】
【０００１】
【発明の属する技術分野】
本発明は、ティッシュペーパー又は特願２０００−３７４０６を縦に吊り下げる為のカバーに関するものである。
【０００２】
【従来の技術】
従来、ティッシュペーパー用カバーはファッション性が重視され、既存の取り出し口の位置をそのまま利用した物ばかりである。
【０００３】
【発明が解決しようとする課題】
従来のティッシュペーパー用カバーは既存の取り出し口の位置をそのまま利用した物である為に、縦に吊り下げると常時取り出し口より出ているティッシュペーパーが地面に対して直角になるために、病院などの患者がベッドの足を利用して縦に吊り下げるとティッシュペーパーを垂直に引き抜く事が大変であるし、常時取り出し口より出ているティッシュペーパーを保護していないので汚れやすいし見た目も嫌らしい。
【０００４】
また従来のティッシュペーパー用カバーでは、蓋部分が取り出し口になっているのでティッシュペーパー用カバーのみの単機能である。
【０００５】
また従来のティッシュペーパー用カバーでは縦に吊り下げると中に入っているティッシュペーパーの数が少なくなるとティッシュペーパーが縦にへたってくる。
【０００６】
本発明は、従来の技術の有するこのような問題点を鑑みてなされたものであり、その目的とするところは、ティッシュペーパーを縦に吊り下げて地面に対して垂直に上もしくは下に引き抜く事が出来、汚れにくく見た目も非常にスッキリしていて美しい。蓋部分に貼り付けポッケトを付けることにより小物類の収納ができる。またティッシュペーパーの数が少なくなるとティッシュペーパーが縦にへたってくるのを防ぐ為に出し入れ自由なバネ式底上げ板を備えている。
【０００７】
【課題を解決するための手段】
上記目的を達成するために、本発明を図により説明する。本カバーは上と下に取り出し口を設けることで、ベッドの脚または棚などに吊り下げる事で病院などの患者がベッドの上で横たわったままで、楽にそして簡単にティッシュペーパーを上もしくは下に垂直に引き抜く事が出来る。そして蓋（１）をティッシュペーパーより長くする事により常時取り出し口から出ているティッシュペーパー（１８）を覆う事ができる。よって常時取り出し口から出ているティッシュペーパー（１８）が汚れにくく見た目も美しい。蓋（１）の表に貼り付けポッケト（１２）を付けることにより小物類を収納できるという多機能を有する事で使い勝手がよい。また底に出し入れ自由なバネ式底上げ板を付ける事によりティッシュペーパーのへたりを防ぐ。
【０００８】
【発明の実施の形態】
本カバーの素材は問わない。外形状は箱形であるが円筒型、半円筒型、楕円型、多角型等でも良い。説明を理解しやすくするために箱の基本サイズをティッシュペーパー及特願２０００−３７４０６が入るサイズとする。深さは全体に基本サイズより１．５cm程度深くする。底（３）は基本サイズより上下共に５cm程度長くし、角を落として丸みを持たせ、先端中央部に吊り下げ用穴（８）を開ける（直径１cm程）。そして底（３）の裏に滑り止め用資材（４）を張りあわす。左右の長側面（５）のサイズはそのままとする。上下短側面（６）の深さを多少（１cm程）短くする。これにより蓋（１）との接合時に多少（１cm程）の隙間（７）ができる。この隙間（７）よりティッシュペーパーを引き抜くのである。蓋（１）は上下共に８cm程度長くし、角を落として丸みを持たせ、蓋（１）の裏に滑りの良い資材（２）を張りあわす。これにより常時取り出し口から出ているティッシュペーパー（１８）を覆う事ができる。蓋（１）の片側を長側面（５）と接合して開閉時の蝶番（１１）にし、もう一方の片側は持ち出し（９）を付けその裏側と長側面（５）とにそれぞれにマジックテープ（登録商標）（１０）等を付け開閉時の止め機能とする。また蓋（１）の表に貼り付けポケット（１２）を１個または数個付ける事により小物を入れることが出来る。出し入れ自由なバネ式底上げ板の底（１４）は基本サイズの底より少し小さくし、バネ（１７）を中央に１個と中央下に１個それぞれ斜め上に傾いた状態でバネ式底上げ板の底（１４）に取り付ける。そして２個のバネの上に略長方形の板（１５）を取り付ける。その略長方形の板（１５）の上に滑り止め資材（１６）をはりつける。略長方形の板（１５）のサイズは従来のティッシュペーパー箱の取り出し口のカットラインのサイズより小さいものとする。
【０００９】
【発明の効果】
本発明は、上述のとおり構成されているので、つぎに記載する効果を奏する。
【００１０】
本カバーを吊り下げたときに、ティッシュペーパーを地面に対して上もしくは下に垂直に引き抜く事ができる。
【００１１】
蓋（１）を上下共に８cm程度長くする事により、常時取り出し口から出ているティッシュペーパー（１８）を覆う事ができるので汚れにくいし見た目も美しい。
【００１２】
蓋（１）の表に貼り付けポッケト（１２）を付ける事で多機能となり小物類の収納ができとても便利である。
【００１３】
底にバネ式底上げ板を入れる事により常にティッシュペーパーを垂直に維持できる。
【図面の簡単な説明】
【図１】本カバーの上から見た斜視図
【図２】本カバーの下から見た斜視図
【図３】本カバーの蓋を開けて上から見た斜視図
【図４】本カバーの使用時の側面図
【図５】バネ式底上げ板の斜視図
【図６】バネ式底上げ板の側面図
【符号の説明】
（１）   蓋
（２）   滑りの良い資材
（３）   底
（４）   滑り止め資材
（５）   長側面
（６）   短側面
（７）   ティッシュペーパーの取り出し口
（８）   吊り下げ用穴
（９）   蓋の持ち出し
（１０）   マジックテープ（登録商標）
（１１）   蓋の蝶番
（１２）   貼り付けポッケト
（１３）   貼り付けポッケト口
（１４）   バネ式底上げ板の底
（１５）   バネ式底上げ板の上板
（１６）   滑り止め資材
（１７）   バネ式底上げ板のバネ
（１８）   常時取り出し口から出ているティッシュペーパー
【図１】
2004201938.tif 000003
【図２】
2004201938.tif 000004
【図３】
2004201938.tif 000005
【図４】
2004201938.tif 000006
【図５】
2004201938.tif 000007
【図６】
2004201938.tif 000008